(57)【要約】【課題】本発明の課題は、開封時または開封後に内容物が何であるのかが、直感的に分かり、目の不自由な人でも触覚によって内容物の識別が可能な包装用紙箱を提案するものである。【解決手段】１枚のブランクから組み立てられる包装用紙箱であって、糊代片、背面板、左側面板、前面板、右側面板が縦方向の折り曲げ線を介して順次連設され、背面板、左側面板、前面板、右側面板の下端縁には、横方向の折り曲げ線を介してそれぞれ底面フラップ、底面ダストフラップ、底面板、底面ダストフラップが連設され、背面板、左側面板、前面板、右側面板の上端縁には、横方向の折り曲げ線を介してそれぞれ天面板、ダストフラップ、天面フラップ、ダストフラップが連設され、天面板の先端には折り曲げ線を介して外フラップが連設され、外フラップの形状は少なくとも１以上の弧形状、または／および５以上の頂点を有する多角形状を含むことを特徴とする包装用紙箱である。【選択図】図１
2010269799.tif 000002
【特許請求の範囲】
【請求項１】
１枚のブランクから組み立てられる包装用紙箱であって、糊代片、背面板、左側面板、前面板、右側面板が縦方向の折り曲げ線を介して順次連設され、背面板、左側面板、前面板、右側面板の下端縁には、横方向の折り曲げ線を介してそれぞれ底面フラップ、底面ダストフラップ、底面板、底面ダストフラップが連設され、背面板、左側面板、前面板、右側面板の上端縁には、横方向の折り曲げ線を介してそれぞれ天面板、ダストフラップ、天面フラップ、ダストフラップが連設され、天面板の先端には折り曲げ線を介して外フラップが連設されており、外フラップの形状は少なくとも１以上の弧形状、または／および５以上の頂点を有する多角形状を含むことを特徴とする包装用紙箱。
【請求項２】
１枚のブランクから組み立てられる包装用紙箱であって、糊代片、背面板、左側面板、前面板、右側面板が順次縦方向の折り曲げ線を介して連設され、背面板、左側面板、前面板、右側面板の下端縁には、横方向の折り曲げ線を介してそれぞれ底面フラップ、底面ダストフラップ、底面板、底面ダストフラップが連設され、背面板、左側面板、前面板、右側面板の上端縁には、横方向の折り曲げ線を介してそれぞれ天面フラップ、ダストフラップ、天面板、ダストフラップが連設され、天面フラップの先端には折り曲げ線を介して差込片が連設されており、ダストフラップの形状は少なくとも１以上の弧形状、または／および５以上の頂点を有する多角形状を含むことを特徴とする包装用紙箱。
【請求項３】
１枚のブランクから組み立てられる包装用紙箱であって、糊代片、背面板、左側面板、前面板、右側面板が縦方向の折り曲げ線を介して順次連設され、背面板、左側面板、前面板、右側面板の下端縁には、横方向の折り曲げ線を介してそれぞれ底面フラップ、底面ダストフラップ、底面板、底面ダストフラップが連設され、背面板、左側面板、前面板、右側面板の上端縁には、横方向の折り曲げ線を介してそれぞれ天面板、ダストフラップ、天面フラップ、ダストフラップが連設され、天面板の先端には折り曲げ線を介して外フラップが連設されており、外フラップおよびダストフラップの形状は１以上の弧形状、または／および５以上の頂点を有する多角形状を含むことを特徴とする包装用紙箱。
【請求項４】
左右側面板、背面板、前面板、天面板、底面板、ダストフラップ、外フラップの少なくとも１に、内容物を示す文字または／および記号からなるエンボス部を有することを特徴とする請求項１または３に記載の包装用紙箱。
【請求項５】
左右側面板、背面板、前面板、天面板、底面板、ダストフラップの少なくとも１に、内容物を示す文字または／および記号からなるエンボス部を有することを特徴とする請求項２に記載の包装用紙箱。
【請求項６】
天面部および底面部の双方で開封可能であることを特徴とする請求項１〜５のいずれか１項に記載の包装用紙箱。
【発明の詳細な説明】
【技術分野】
【０００１】
本発明は、物品を収納する包装用紙箱に関し、特に医薬品や化粧品等を収納する紙箱として好適な包装用紙箱に関する。
【背景技術】
【０００２】
従来、医薬品や化粧品等を収納する包装用紙箱としては、板紙等で構成された直方体形状の紙箱が一般的に使用されている。しかし医薬品や化粧品等の包装用紙箱は、同じ程度の大きさ、形のものが多いため、うっかりとり違えたりする可能性があった。特に視力の弱った老人などが、例えばかぜ薬と胃腸薬をとり違えて服用したりする事故の可能性は否定できなかった。
【０００３】
特許文献１に記載された包装用紙箱は、箱の内面に印刷表示された取り扱い説明を、箱を展開することによって、読み取り可能とするものであり、特に化粧品等の収納に適した包装用紙箱である。
【先行技術文献】
【特許文献】
【０００４】
【特許文献１】特開2006-62713号公報
【発明の概要】
【発明が解決しようとする課題】
【０００５】
特許文献１に記載された包装用紙箱は、構造上、余った内容物を再封止することができないものであり、内容物を１回で使い切るような用途に限定されるという問題があった。また、上述の取り違え防止対策がなされていないため、誤って服用したりする可能性があった。
【０００６】
本発明の解決しようとする課題は、開封時または開封後に内容物が何であるのかが、直感的に分かり、目の不自由な人でも触覚によって内容物の識別が可能な包装用紙箱を提案するものである。
【課題を解決するための手段】
【０００７】
上記の課題を解決するための手段として、請求項１に記載の発明は、１枚のブランクから組み立てられる包装用紙箱であって、糊代片、背面板、左側面板、前面板、右側面板が縦方向の折り曲げ線を介して順次連設され、背面板、左側面板、前面板、右側面板の下端縁には、横方向の折り曲げ線を介してそれぞれ底面フラップ、底面ダストフラップ、底面板、底面ダストフラップが連設され、背面板、左側面板、前面板、右側面板の上端縁には、横方向の折り曲げ線を介してそれぞれ天面板、ダストフラップ、天面フラップ、ダストフラップが連設され、天面板の先端には折り曲げ線を介して外フラップが連設されており、外フラップの形状は少なくとも１以上の弧形状、または／および５以上の頂点を有する多角形状を含むことを特徴とする包装用紙箱である。
【０００８】
また、請求項２に記載の発明は、１枚のブランクから組み立てられる包装用紙箱であって、糊代片、背面板、左側面板、前面板、右側面板が順次縦方向の折り曲げ線を介して連設され、背面板、左側面板、前面板、右側面板の下端縁には、横方向の折り曲げ線を介してそれぞれ底面フラップ、底面ダストフラップ、底面板、底面ダストフラップが連設され、背面板、左側面板、前面板、右側面板の上端縁には、横方向の折り曲げ線を介してそれぞれ天面フラップ、ダストフラップ、天面板、ダストフラップが連設され、天面フラップの先端には折り曲げ線を介して差込片が連設されており、ダストフラップの形状は少なくとも１以上の弧形状、または／および５以上の頂点を有する多角形状を含むことを特徴とする包装用紙箱である。
【０００９】
また、請求項３に記載の発明は、１枚のブランクから組み立てられる包装用紙箱であって、糊代片、背面板、左側面板、前面板、右側面板が縦方向の折り曲げ線を介して順次連設され、背面板、左側面板、前面板、右側面板の下端縁には、横方向の折り曲げ線を介してそれぞれ底面フラップ、底面ダストフラップ、底面板、底面ダストフラップが連設され、背面板、左側面板、前面板、右側面板の上端縁には、横方向の折り曲げ線を介してそれぞれ天面板、ダストフラップ、天面フラップ、ダストフラップが連設され、天面板の先端には折り曲げ線を介して外フラップが連設されており、外フラップおよびダストフラップの形状は１以上の弧形状、または／および５以上の頂点を有する多角形状を含むことを特徴とする包装用紙箱である。
【００１０】
また、請求項４に記載の発明は、左右側面板、背面板、前面板、天面板、底面板、ダストフラップ、外フラップの少なくとも１に、内容物を示す文字または／および記号からなるエンボス部を有することを特徴とする請求項１または３に記載の包装用紙箱である。
【００１１】
また請求項５に記載の発明は、左右側面板、背面板、前面板、天面板、底面板、ダストフラップの少なくとも１に、内容物を示す文字または／および記号からなるエンボス部を有することを特徴とする請求項２に記載の包装用紙箱である。
【００１２】
また請求項６に記載の発明は、天面部および底面部の双方で開封可能であることを特徴とする請求項１〜５のいずれか１項に記載の包装用紙箱である。
【発明の効果】
【００１３】
本発明に係る包装用紙箱は、外フラップまたは／およびダストフラップの形状が、少なくとも１以上の弧形状、または／および５以上の頂点を有する多角形状を含むものであり、通常の紙箱におけるような単なる四辺形とは異なるため、箱を一見して直感的に認識することができる。このため、内容物の種類に応じて、この形状を変えることにより、この形状から内容物を識別することが可能となる。また、視力の低下した人でも、触覚によって内容物を識別することが可能となる。
【００１４】
外フラップの形状を、少なくとも１以上の弧形状、または／および５以上の頂点を有する多角形状を含むものとした場合には、未開封の状態であっても箱の外観から内容物が何であるか識別することができる。またダストフラップの形状を、少なくとも１以上の弧形状、または／および５以上の頂点を有する多角形状を含むものとした場合には、未開封の状態では判断できず、開封して初めてこの機能が有効となる。
【００１５】
外フラップの形状とダストフラップの形状をともに、少なくとも１以上の弧形状、または／および５以上の頂点を有する多角形状を含むものとした場合には、未開封の状態であってもまた開封後であっても、上記の機能が有効である。
【００１６】
左右側面板、背面板、前面板、天面板、底面板、ダストフラップ、外フラップの少なくとも１に、内容物を示す文字または／および記号からなるエンボス部を有する場合には、視力の低い人でも、内容物が何であるか、触覚によって識別することが可能である。
【００１７】
また、天面部および底面部の双方で開封可能である場合には、使用後の箱を廃棄する際に、解体または折り畳む操作が容易にできる。
【図面の簡単な説明】
【００１８】
【図１】本発明に係る包装用紙箱の一実施態様を示した斜視図である。
【図２】図１に示した包装用紙箱のブランクの展開図である。
【図３】本発明に係る包装用紙箱の他の実施態様を示した斜視図である。
【図４】本発明に係る包装用紙箱の他の実施態様を示した斜視図である。
【図５】本発明に係る包装用紙箱の他の実施態様を示した斜視図である。
【図６】図５に示した包装用紙箱の未開封の状態を示した斜視図である。
【図７】図５、６に示した包装用紙箱のブランクの展開図である。
【図８】本発明に係る包装用紙箱の他の実施態様を示した斜視図である。
【図９】本発明に係る包装用紙箱の他の実施態様を示した斜視図である。
【図１０】本発明に係る包装用紙箱の他の実施態様を示したブランクの展開図である。
【発明を実施するための形態】
【００１９】
以下図面に従い、本発明に係る包装用紙箱の実施態様について、詳細に説明する。
図１は、本発明に係る包装用紙箱の一実施態様を示した斜視図であり、図２は、図１に示した包装用紙箱のブランクの展開図である。この展開図は、用紙の表面側すなわち箱の外側となる面から見た状態を示している。本発明に係る包装用紙箱は、１枚のブランクから組み立てられる包装用紙箱であって、糊代片１３、背面板３、左側面板５、前面板４、右側面板６が縦方向の折り曲げ線１５を介して順次連設され、背面板３、左側面板５、前面板４、右側面板６の下端縁には、横方向の折り曲げ線１６ａを介してそれぞれ底面フラップ１０、底面ダストフラップ１１ａ、底面板２、底面ダストフラップ１１ｂが連設され、背面板３、左側面板５、前面板４、右側面板６の上端縁には、横方向の折り曲げ線１６ｂを介してそれぞれ天面板１、ダストフラップ８ａ、天面フラップ９、ダストフラップ８ｂが連設され、天面板１の先端には折り曲げ線１７を介して外フラップ７が連設されており、外フラップ７は２つの円弧からなる形状を有している。このように、本発明に係る包装用紙箱は、外フラップ７が少なくとも１以上の弧形状、または／および５以上の頂点を有する多角形状を含むことを特徴としている。
【００２０】
本発明に係る包装用紙箱は、図１に示したように、外フラップ７の形状が少なくとも１以上の弧形状、または／および５以上の頂点を有する多角形状を含むものであり、通常の四辺形ではないため、一見して特徴が明確に識別できる。この実施態様においては、外フラップ７の形状は２つの円弧を含む形状である。図３、図４は、それぞれ本発明に係る包装用紙箱の他の実施態様を示したものであり、図３に示した実施態様においては、外フラップ７の形状が一つの円弧からなる形状であり、図４に示した実施態様においては、外フラップ７が５角形である。
【００２１】
このように、本発明に係る包装用紙箱は、外フラップの形状によって外観から一見して認識できるだけではなく、視力の低い人でも手で触れることによって識別が可能である。このため、例えば医薬品であれば、感冒薬と胃腸薬と頭痛薬で外フラップ７の形状を変えることにより、うっかり取り違えて服用するという危険性を低減することができる。
【００２２】
本発明に係る包装用紙箱を組み立てるには、図２に示したブランクのすべての折り曲げ線を山折りし、糊代片１３を右側面板６に接着し、底面ダストフラップ１１ａ、１１ｂを折り込んで、底面フラップ１０と底面板２を接着し、ダストフラップ８ａ、８ｂを折り込んで天面フラップ９と天面板１を接着し、さらに開封部１８と外フラップ７を接着することによって、図１に示したような包装用紙箱が完成する。
【００２３】
図２に示したように、この実施態様においては、底面板２に内容物であるかぜ薬を示す「カゼ」の文字からなるエンボス部１９を有する。エンボス部１９が存在することによって目の不自由な人であっても、指で触れることによって内容物を具体的に確認することができる。エンボス部１９は、文字や記号あるいはこれらの組み合わせとすることができる。エンボス部１９は点字であっても良い。エンボスの凹凸としては、凹エンボスでも凸エンボスでもよいが、文字のように線から構成されるものの場合は凸エンボスとするのが一般的である。エンボス部の位置は、この例であれば、左右側面板５、６、背面板３、前面板４、天面板１、底面板２、ダストフラップ８ａ、８ｂ、外フラップ７の少なくとも１箇所に設けることができる。これらの複数箇所に設けても良い。
【００２４】
図２に示した実施態様においては、前面板４の外フラップ７の被さる部分にミシン目線１４によって区画された開封部１８が設けてあり、開封部１８は、外フラップ７に接着してある。従って外フラップ７を引き上げることにより、ミシン目線１４が切断して開封部１８が外フラップ７とともに開封される。また天面フラップ９と天面板１も接着しておくことにより、開封操作によって天面が完全に開放されるようになる。
【００２５】
この実施態様においては、さらに背面板３の下部にもミシン目線２０によって区画された底面開封部２１が設けられているため、紙箱が不要となった時に、この底面開封部２１から底面を開封することにより、紙箱を解体あるいは折り畳む操作が容易となる。
【００２６】
図５は、本発明に係る包装用紙箱の他の実施態様を示した斜視図であり、図６は図５に示した包装用紙箱の未開封の状態を示した斜視図である。また図７は、図５、６に示した包装用紙箱のブランクの展開図である。この実施態様においては、糊代片１３、背面板３、左側面板５、前面板４、右側面板６が順次縦方向の折り曲げ線１５を介して連設され、背面板３、左側面板５、前面板４、右側面板６の下端縁には、横方向の折り曲げ線１６ａを介してそれぞれ底面フラップ１０、底面ダストフラップ１１ａ、底面板２、底面ダストフラップ１１ｂが連設され、背面板３、左側面板５、前面板４、右側面板６の上端縁には、横方向の折り曲げ線１６ｂを介してそれぞれ天面フラップ９、ダストフラップ８ａ、天面板１、ダストフラップ８ｂが連設され、天面フラップ９の先端には折り曲げ線１７を介して差込片１２が連設されており、ダストフラップ８ａは２つの円弧からなる形状を有している。このように、本発明に係る包装用紙箱は、ダストフラップの形状が少なくとも１以上の弧形状、または／および５以上の頂点を有する多角形状を含むことを特徴とする。
【００２７】
図８、図９は、本発明に係る包装用紙箱の他の実施態様を示した斜視図である。図８に示した実施態様においては、ダストフラップ８ａが一つの円弧からなる形状を有しており、図９に示した実施態様においては、ダストフラップ８ａが五角形である。
【００２８】
このように、本発明に係る包装用紙箱は、ダストフラップの形状によって一見して認識できるだけではなく、視力の低い人でも手で触れることによって識別が可能である。このため、例えば医薬品であれば、感冒薬と胃腸薬と頭痛薬でダストフラップ８ａの形状を変えることにより、うっかり取り違えて服用するという危険性を低減することができる。図５〜９に示した実施態様においては、未開封の状態ではダストフラップが認識できず、開封して初めてダストフラップの形状が異なることが認識される。このことは、医薬品のよ
うに、対面販売が義務づけられている商品にあっては、正しい説明がなされることが前提となっており、あえて使用者の勘違いを防ぐ効果が期待できる。
【００２９】
図７に示したブランクの展開図から、図６に示した包装用紙箱を組み立てるには、ブランクのすべての折り曲げ線を山折りし、糊代片１３を右側面板６に接着し、底面ダストフラップ１１ａ、１１ｂを折り込んで、底面フラップ１０と底面板２を接着し、ダストフラップ８ａ、８ｂを折り込んで天面フラップ９と天面板１を接着することによって、図６に示したような包装用紙箱が完成する。
【００３０】
図５に示したように、この実施態様においては、ダストフラップ８ｂに内容物であるかぜ薬を示す「カゼ」の文字からなるエンボス部１９を有する。エンボス部１９が存在することによって目の不自由な人であっても、指で触れることによって内容物を具体的に確認することができる。エンボス部１９は、文字や記号あるいはこれらの組み合わせとすることができる。エンボス部１９は点字であっても良い。エンボスの凹凸としては、凹エンボスでも凸エンボスでもよいが、文字のように線から構成されるものの場合は凸エンボスとするのが一般的である。エンボス部の位置は、この例であれば、左右側面板５、６、背面板３、前面板４、天面板１、底面板２、ダストフラップ８ａ、８ｂの少なくとも１箇所に設けることができる。これらの複数箇所に設けても良い。
【００３１】
図８、図９に示した実施態様においては、エンボス部１９の内容がそれぞれ胃腸薬を表す「イ」と鎮痛薬を表す「イタミ」の文字であり、このように内容物を端的に示すエンボス部１９が存在することにより、視覚の十分でない人であっても、内容物を指の触覚によって識別することが可能となる。
【００３２】
また図９に示した実施態様においては、ダストフラップ８ａに丸孔２つからなる穿孔マーク２２が設けられている。このような穿孔マークを併用して、内容物の識別をより確実にすることもできる。またダストフラップや外フラップの外縁を波状としたり、鋸歯状としたりすることも触覚による識別を確実にする効果がある。
【００３３】
図５〜７に示した実施態様においては、前面板４の上部にミシン目線１４によって区画された開封部１８が設けてあり、開封部１８を指で押して破ることにより、ミシン目線１４が切断して開封部１８が差込片１２とともに開封される。また天面フラップ９と天面板１も接着しておくことにより、開封操作によって天面が完全に開放されるようになる。
【００３４】
この実施態様においても、背面板３の下部にもミシン目線２０によって区画された底面開封部２１が設けられているため、紙箱が不要となった時に、この底面開封部２１から底面を開封することにより、紙箱を解体あるいは折り畳む操作が容易となる。
【００３５】
図１０は、本発明に係る包装用紙箱の他の実施態様を示したブランクの展開図である。この実施態様においては、外フラップ７に加えてダストフラップ８ａも、２つの円弧からなる形状となっている。このような構造とすることにより、未開封の状態でも紙箱の外観と触覚から、内容物を識別することが可能であり、開封後にも外フラップ７の外形とダストフラップ８ａの外形とによって触覚による識別が可能となる。図１０に示した実施態様においては、さらに底面板２に内容物が感冒薬であることを示す「カゼ」のエンボス文字からなるエンボス部１９が設けられているので、さらに識別が確実である。
【符号の説明】
【００３６】
１・・・天面板
２・・・底面板
３・・・背面板
４・・・前面板
５・・・左側面板
６・・・右側面板
７・・・外フラップ
８ａ、８ｂ・・・ダストフラップ
９・・・天面フラップ
１０・・・底面フラップ
１１ａ、１１ｂ・・・底面ダストフラップ
１２・・・差込片
１３・・・糊代片
１４・・・ミシン目線
１５・・・縦方向の折り曲げ線
１６ａ、１６ｂ・・・横方向の折り曲げ線
１７・・・折り曲げ線
１８・・・開封部
１９・・・エンボス部
２０・・・ミシン目線
２１・・・底面開封部
２２・・・穿孔マーク
【図１】
2010269799.tif 000003
【図２】
2010269799.tif 000004
【図３】
2010269799.tif 000005
【図４】
2010269799.tif 000006
【図５】
2010269799.tif 000007
【図６】
2010269799.tif 000008
【図７】
2010269799.tif 000009
【図８】
2010269799.tif 000010
【図９】
2010269799.tif 000011
【図１０】
2010269799.tif 000012